(57)【特許請求の範囲】
【請求項１】
脚２で支持された枠体１を設け、この枠体１の上に敷設した床４に大便器７を設置し、枠体１の下方には便槽１３を設置し、この便槽１３は、防水性シートを折り曲げて、底部１４の周囲に側壁部１５の連設された便槽１３に形成し、前記便槽１３の隣合う側壁部１５・１５の間の隅角部２２のうち、少なくとも１箇所の隅角部２２は、隅角放射方向折り線２３の部分で樋状に折り曲げて、便槽１３の外側に突出する男性用小便器３７に形成した簡易トイレ。
【請求項２】
男性用小便器３７の基部に、目隠し板４３の小便器挿入孔４４を外嵌して、目隠し板４３を男性用小便器３７に装着した請求項１記載の簡易トイレ。
【発明の詳細な説明】
【０００１】
【産業上の利用分野】
本発明は、災害時などに使用する簡易トイレに関する。
【０００２】
【従来の技術】
従来簡易トイレは、大便所を幌で覆ったものが一般に知られている。
【０００３】
【発明が解決しようとする課題】
前記の簡易トイレで、男性が小便をする場合には、男性は立ったままで小便をするので、大便器の周囲にも小便を排出することもあり、大便器の周囲を汚すことがあり、その後に大便をする者の支障となった。
【０００４】
このような場合に、大便用便所と男性の小便用便所を別個に設置するとよいが、災害時用などとして、大便用便所と男性用小便所の両方を準備することは費用も高くなり、また、設置するスペースがないなどの問題点がある。
【０００５】
本発明は、前記事項に鑑みなされたものであり、スペースも取らず、しかも、簡単な装置で、男性が小便をする場合に、大便器を使用しないで小便ができるようにすることを技術的課題とする。
【０００６】
【課題を解決するための手段】
第１の発明は、脚２で支持された枠体１を設け、この枠体１の上に敷設した床４に大便器７を設置し、枠体１の下方には便槽１３を設置し、この便槽１３は、防水性シートを折り曲げて、底部１４の周囲に側壁部１５の連設された便槽１３に形成し、前記便槽１３の隣合う側壁部１５・１５の間の隅角部２２のうち、少なくとも１箇所の隅角部２２は、隅角放射方向折り線２３の部分で樋状に折り曲げて、便槽１３の外側に突出する男性用小便器３７に形成して簡易トイレとした。
【０００７】
第２の発明は、第１の発明において、男性用小便器３７の基部に、目隠し板４３の小便器挿入孔４４を外嵌して、目隠し板４３を男性用小便器３７に装着して簡易トイレとした。
【０００８】
【作用】
本発明は、大便器７を設置した枠体１の下方に設置する便槽１３を防水性シートで形成し、そして、前記防水性シートの隅角部２２を利用して男性用小便器３７を形成するものである。
【０００９】
すなわち、本発明は、防水性シートを折り曲げて、底部１４となる部分の周囲に側壁部１５の連設された便槽１３を形成する。
そして、前記便槽１３の隣合う側壁部１５・１５の間の隅角部２２のうち、少なくとも１箇所の隅角部２２を、隅角放射方向折り線２３の部分で樋状に折り曲げて、便槽１３の外側に突出する男性用小便器３７を形成して、簡易トイレに大便器７と男性用小便器３７を併設したものである。
【００１０】
したがって、本発明の男性用小便器３７は、大便器７用の便槽１３を、シートを折り曲げて形成するときできる隅角部２２で形成しているので、簡単な構成でしかも安価なものである。
【００１１】
そして、男性用小便器３７は、便槽１３に直接接続しているので設置に大きなスペースを必要としない。
そして、第２の発明では、目隠し板４３の小便器挿入孔４４を、男性用小便器３７に外嵌することにより、男性用小便器３７に目隠し板４３を簡単に装着でき、さらに、この目隠し板４３は、小便の飛散防止にも役立つものである。
【００１２】
【実施例】
以下図に基づいて、本発明の実施例の説明をする。図１〜図６は、第１の発明及び第２の発明の第１実施例の説明用の図である。
【００１３】
この実施例は、枠体１を次のようにして形成している。すなわち、断面が４角形の鋼製の角管を、略長方形で、かつ、その右上の角部を、図１に示すように、斜めに削除したような形に、一体に接続して枠体１を形成している。
【００１４】
そして、前記枠体１は、枠体１の角部となる部分に、５本の脚２を垂下して設けて枠体１を支持するように形成している。
そして、前記枠体１の内側には、図１の横方向となるようにして、図示してない桟が数本大便器７の設置の支障とならないように設けてある。
【００１５】
そして、前記枠体１の上面には、ベニヤ板製の床４が敷設してあり、この床４に設けた大便器装着穴に、ＡＢＳ樹脂製の大便器７の下部が挿入され、大便器７の周囲には、大便器７と一体的に接続して設けられた図示してないＡＢＳ樹脂製の板体が設けてあり、この板体が、前記床４の上に載せられて、前記大便器７が床４に設置されている。
【００１６】
また、前記床４の周縁部と枠体１には、支柱装着孔５が設けてあり、この支柱装着孔５に、図示してない支柱が立設され、この支柱に、図示してない幌が装着され大便器７を設けた大便所を覆うように形成してある。
【００１７】
そして、前記枠体１の下方には、便槽１３が設置してあり、この便槽１３は、図３に示すような長方形で、かつ、折り曲げ可能な防水性シートで形成される。
すなわち、防水性シートの中央部を、４角形の底部１４とし、この底部１４の４辺の周囲を、側壁折り線１６で９０度折り曲げて、図４・図５に示す４個の側壁部１５とする。
【００１８】
そして、隣合う側壁１５・１５の間の隅角部２２のうち、図３の左上方と両側の下方の、３箇所の隅角部２２は、隅角折り畳み線３０で折り畳んで折り畳み部３１とし、この折り畳み部３１を隣接する側壁部１５に装着して固定して、側壁部１５が底部１４に対して、略９０度の立設位置を保持するように形成し、略４角形の浅い箱状の便槽１３に形成する。
【００１９】
そして、折り畳み部３１とする隅角部２２は、この隅角部２２を切除し、側壁部１５・１５の端縁を接着して便槽１３の角部を形成することも可能である。
そして、図３の右上に示す残りの隅角部２２は、隅角放射方向折り線２３の部分で樋状に折り曲げると共に、この樋状の部分の基部は、図３に示す拡開線２４の部分で折り曲げて、幅広となるように形成し、便槽１３の角部より便槽１３の外側に突出する部分に形成し、そして、この樋状に突出する部分を男性用小便器３７とするものである。
【００２０】
前記の如く形成した便槽１３は、図１及び図２に示すように、枠体１の斜めに削除したように形成した部分の角部に設けた一対の脚２の間から、男性用小便器３７を、枠体１の外側に突出させ、かつ、便槽１３の側壁部１５が脚２の内側となるようにして、便槽１３を枠体１の下方に図示してない取付具で取り付けて設置する。
【００２１】
そうすると、男性用小便器３７の基部は、その外側にある脚２で抑止され、基部の幅はそれ以上広がらない。
また、目隠し板４３は、図６に示すように、長方形に形成され防水処理が施され、縦方向に設けた２条の目隠し折り線４５が設けてあり、この目隠し板４３の中央部の下方には、逆３角形状の小便器挿入孔４４が設けてある。
【００２２】
前記目隠し板４３は、図１及び図２に示すように、男性用小便器３７の基部に、目隠し板４３の小便器挿入孔４４を外嵌して装着する。
また、男性用小便器３７に付随させるものとして、簡易トイレを収納してあったダンボール箱から蝋引きボードを取り外せるようにしておき、この蝋引きボードを男性用小便器３７の基部の上に立て掛けるようにして設置し、勢いよく噴出した小便を受けるようにすることもできる。
【００２３】
そして、前記枠体１の床４には、ステップ６が設けてある。
前記実施例の簡易トイレは、図１に示すように、枠体１の角部を斜めに削除するような形に形成し、この部分から男性用小便器３７を突出させているので、簡易トイレを、横方向に並べて設置する場合は、右側に並べる簡易トイレは、左側の簡易トイレより、枠体１の角部を斜めに削除したような部分の立て方向の長さだけ、前方に位置をずらさなければならない。
【００２４】
しかしながら、男性用小便器３７を図１に示すように、簡易トイレの右上に設けた簡易トイレと、男性用小便器３７を簡易トイレの左上に設けた簡易トイレに形成すると、２個だけは横方向が一直線となるようにして並べて設置できる。
【００２５】
また、簡易トイレの右上と左上との２箇所に、男性用小便器３７を設けることも可能である。
図７〜図９は、第２実施例の説明用の図である。以下さきの実施例と同様の部分は、同一の符号を用い説明を省略した。
【００２６】
この実施例は、図７に示すように、枠体１は、長方形に形成し、図７の右上の角部の他に、この角部より少し左に離れた位置にも、脚２を設け、この２つの脚２の間より、上方に男性用小便器３７を突出させるように形成したものである。
【００２７】
そして、この実施例の便槽１３を形成する図８に示す防水シートは、図３に示す防水シートとは、右上に示す男性用小便器３７となる隅角部２２が相違するのみであり、他の部分は図３のものと相違しないものである。
【００２８】
そして、図８に示す防水シートの右上部分の隅角部２２は、この隅角部２２の左右方向に伸びる拡開線２４が、側壁折り線１６の延長線上にあり、他方の上下方向の拡開線２４が、図８の中央寄りの位置に設けられている。
【００２９】
そして、この隅角部２２は、図８の隅角放射方向折り線２３と、この隅角放射方向折り線２３の左側に示される拡開線２４との間の隅角部で、樋状の部分を形成するものであり、この樋状の部分は、図９に示すように、上辺の側壁部１５の部分から、上方に突出して形成されるものである。
【００３０】
そして、この上方に突出した樋状の部分が図７に示すように、枠体１の上部に示される部分から上方に突出するものである。
したがって、この実施例の簡易トイレは、横方向に多数の簡易トイレを、密接させて、かつ、一直線状に並べて設置できるものである。
【００３１】
【発明の効果】
本発明は、大便器７を設置した枠体１の下方に、便槽１３を設置し、この便槽１３は、防水性シートを折り曲げて、底部１４の周囲に側壁部１５の連設された便槽１３に形成し、便槽１３の隅角部２２のうち１箇所は、隅角放射方向折り線２３の部分で樋状に折り曲げて、便槽１３の外側に突出する男性用小便器３７に形成したものである。
【００３２】
したがって、本発明の男性用小便器３７は、大便器７用の便槽１３を、シートを折り曲げて形成するときできる隅角部２２で形成しているので、簡単な構成でしかも安価であり、コストの安い簡易トイレとすることができたものである。
【００３３】
そして、男性用小便器３７は、便槽１３に直接接続して形成されているので、設置に大きなスペースを必要としないものである。
そして、目隠し板４３を装着した簡易トイレは、目隠し板４３の小便器挿入孔４４を、男性用小便器３７に外嵌することにより、装着できるので、構成が簡単でコストの安い簡易トイレとすることができる。
【図面の簡単な説明】
【図１】本発明の第１実施例の平面図
【図２】本発明の第１実施例の側面図
【図３】本発明の第１実施例の便槽を形成するシートの平面図
【図４】本発明の第１実施例の男性用小便器付き便槽の平面図
【図５】本発明の第１実施例の男性用小便器付き便槽の斜視図
【図６】本発明の第１実施例の目隠し板の斜視図
【図７】本発明の第２実施例の平面図
【図８】本発明の第２実施例の便槽を形成するシートの平面図
【図９】本発明の第２実施例の男性用小便器付き便槽の平面図
【符号の説明】
１  枠体
２  脚
４  床
７  大便器
１３  便槽
１４  底部
１５  側壁部
２２  隅角部
２３  隅角放射方向折り線
３７  男性用小便器
４３  目隠し板
４４  小便器挿入孔
【図１】
0003621743.tif 000002
【図２】
0003621743.tif 000003
【図３】
0003621743.tif 000004
【図４】
0003621743.tif 000005
【図５】
0003621743.tif 000006
【図６】
0003621743.tif 000007
【図７】
0003621743.tif 000008
【図８】
0003621743.tif 000009
【図９】
0003621743.tif 000010